(57)【要約】【課題】箱体への機器の収納に関する知識に係らず、機器シンボルと箱体レイアウトを用いて、視覚的に箱体に対する機器の配置を決定することが可能な電気機器収納用箱の選定システムとすること。【解決手段】複数の箱体で構成される電気機器収納用箱の選定システムであって、電気機器収納用箱に収納する機器を入力する機器入力手段と、入力された機器を表す機器シンボルと機器を収納する箱体を表す箱体レイアウトとの双方を表示する表示手段と、表示された機器シンボルを箱体のレイアウト上に配置する配置手段と、機器シンボルが既に配置された箱体レイアウト上に追加で機器シンボルを配置する時、それらの機器が同時に収納可能かを判定する収納判定手段と、を備えた構成とする。【選択図】図１
2018142191.tif 000002
【特許請求の範囲】
【請求項１】
複数の箱体で構成される電気機器収納用箱の選定システムであって、
電気機器収納用箱に収納する機器を入力する機器入力手段と、
入力された機器を表す機器シンボルと機器を収納する箱体を表す箱体レイアウトとの双方を表示する表示手段と、
表示された機器シンボルを箱体レイアウト上に配置する配置手段と、
機器シンボルが既に配置された箱体レイアウト上に追加で機器シンボルを配置する時、それらの機器が同時に収納可能かを判定する収納判定手段と、を備えた電気機器収納用箱の選定システム。
【請求項２】
収納判定手段によって、同時に収納できないと判定された際には、追加で配置する機器を他の箱体へ移動させる機器移動手段を備えた請求項１に記載の電気機器収納用箱の選定システム。
【請求項３】
収納判定手段によって、同時に収納できないと判定された際には、箱体のサイズを変更する箱体変更手段を備えた請求項１に記載の電気機器収納用箱の選定システム。
【発明の詳細な説明】
【技術分野】
【０００１】
本発明は、電気機器収納用箱の選定システムに関するものである。詳しくは複数の箱体で構成される電気機器収納用箱の選定システムに関するものである。
【背景技術】
【０００２】
特許文献１に記載されているように、電気機器収納用箱の選定システムが知られている。このような電気機器収納用箱の選定システムは、収納する変圧機等の機器を組み合わせて収納可能な箱体を選定している。
【先行技術文献】
【特許文献】
【０００３】
【特許文献１】特開２０１２−１７４１７５号公報
【０００４】
ところで、複数の箱体に機器を配置する場合には、箱体に対して搭載する機器の配置を想定する必要があり、箱体及び機器に関する専門的な知識、特に箱体への機器の収納に関する知識が不足していると箱体の選定が困難であるため、箱体を決定する者は、このような知識が必要であった。
【発明の概要】
【発明が解決しようとする課題】
【０００５】
本件の発明者は、この点について鋭意検討することにより、解決を試みた。本発明の課題は、箱体への機器の収納に関する知識に係らず、機器シンボルと箱体レイアウトを用いて、視覚的に箱体に対する機器の配置を決定することが可能な電気機器収納用箱の選定システムとすることである。
【課題を解決するための手段】
【０００６】
上記課題を解決するため、複数の箱体で構成される電気機器収納用箱の選定システムであって、電気機器収納用箱に収納する機器を入力する機器入力手段と、入力された機器を表す機器シンボルと機器を収納する箱体を表す箱体レイアウトとの双方を表示する表示手段と、表示された機器シンボルを箱体レイアウト上に配置する配置手段と、機器シンボルが既に配置された箱体レイアウト上に追加で機器シンボルを配置する時、それらの機器が同時に収納可能かを判定する収納判定手段と、を備えた電気機器収納用箱の選定システムとする。
【０００７】
また、収納判定手段によって、同時に収納できないと判定された際には、追加で配置する機器を他の箱体へ移動させる機器移動手段を備えた構成とすることが好ましい。
【０００８】
また、収納判定手段によって、同時に収納できないと判定された際には、箱体のサイズを変更する箱体変更手段を備えた構成とすることが好ましい。
【発明の効果】
【０００９】
本発明では、箱体への機器の収納に関する知識に係らず、機器シンボルと箱体レイアウトを用いて、視覚的に箱体に対する機器の配置を決定することが可能な電気機器収納用箱の選定システムとすることが可能となる。
【図面の簡単な説明】
【００１０】
【図１】複数の箱体を組み合わせて構成される電気機器収納用箱の機器の配置選定手順を示すフロー図である。
【図２】機器の入力時に利用される画面の例を表した図である。
【図３】機器シンボルと箱体レイアウトが表示された例を表した図である。
【図４】図１で示した例とは異なる例を表した機器の配置選定手順を表したフロー図である。
【図５】電気機器収納用箱における機器配置の選定に用いられるプログラムの内容例を示すイメージ図である。
【図６】電気機器収納用箱における機器配置の選定に用いられるプログラムの内容例を示すイメージ図である。
【図７】電気機器収納用箱における機器配置の選定に用いられるプログラムの内容例を示すイメージ図である。
【図８】電気機器収納用箱における機器配置の選定に用いられるプログラムの内容例を示すイメージ図である。
【図９】電気機器収納用箱における機器配置の選定に用いられるプログラムの内容例を示すイメージ図である。
【図１０】電気機器収納用箱における機器配置の選定に用いられるプログラムの内容例を示すイメージ図である。
【図１１】電気機器収納用箱における機器配置の選定に用いられるプログラムの内容例を示すイメージ図である。
【図１２】電気機器収納用箱における機器配置例を示した図である。
【図１３】図１２に示した例の結果例を表す図である。
【図１４】電気機器収納用箱における機器配置の選定に用いられるプログラムの内容例を示すイメージ図である。
【図１５】電気機器収納用箱における機器配置の選定に用いられるプログラムの内容例を示すイメージ図である。
【図１６】電気機器収納用箱における機器配置の選定に用いられるプログラムの内容例を示すイメージ図である。
【図１７】電気機器収納用箱における機器配置例を示した図である。
【図１８】図１７に示した例の結果例を表す図である。
【図１９】電気機器収納用箱における機器配置の選定に用いられるプログラムの内容例を示すイメージ図である。
【図２０】電気機器収納用箱における機器配置の選定に用いられるプログラムの内容例を示すイメージ図である。
【図２１】電気機器収納用箱における機器配置の選定に用いられるプログラムの内容例を示すイメージ図である。
【図２２】電気機器収納用箱における機器配置の選定に用いられるプログラムの内容例を示すイメージ図である。
【図２３】電気機器収納用箱における機器配置の選定に用いられるプログラムの内容例を示すイメージ図である。
【図２４】電気機器収納用箱における機器配置の選定に用いられるプログラムの内容例を示すイメージ図である。
【図２５】機器の入力時に利用される画面の例を表した図である。
【図２６】図２５に示されたオススメボタンを押した際に表示される機器配置例を示した図である。
【発明を実施するための形態】
【００１１】
以下に発明を実施するための形態を示す。本実施形態の電気機器収納用箱の選定システムは、複数の箱体で構成される電気機器収納用箱を選定するシステムである。また、この電気機器収納用箱の選定システムは、入力された機器を表す機器シンボルと機器を収納する箱体を表す箱体レイアウトとの双方を表示する表示手段と、表示された機器シンボルを箱体レイアウト上に配置する配置手段と、機器シンボルが既に配置された箱体レイアウト上に追加で機器シンボルを配置する時、それらの機器が同時に収納可能かを判定する収納判定手段と、を備えている。したがって、機器を表す機器シンボルを箱体レイアウト上に配置することができ、その際に、互いの機器シンボルが表す機器が箱体に同時に収納可能か否かを判定することができる。このため、箱体への機器の収納に関する知識に係らず、機器シンボルと箱体レイアウトを用いて、視覚的に箱体に対する機器の配置を決定することが可能な電気機器収納用箱の選定システムとすることができる。
【００１２】
本実施形態の電気機器収納用箱は、複数の箱体により構成されており、各々の箱体は一つ若しくは複数の機器を収納することができる。特に、本実施形態においては、電気機器収納用箱は、高圧受電設備に使用されるものであり、機器としては、真空遮断器（ＶＣＢ）、高圧交流負荷開閉器（ＬＢＳ）、断路器（ＤＳ）、カットアウト（ＰＣ）、コンデンサ、リアクトル、トランス、ブレーカ、避雷器、計器用変成器など、である。また、温度計、電圧計、電流計などの計測器や小型ファンなどの熱機器などをオプション機器とすることもできる。
【００１３】
箱体は、機器を搭載するためのキャビネットなどである。箱体には、幅方向、高さ方向、奥行き方向の何れかが異なるものとした複数種類のサイズがある。例えば、箱体Iは、（Ｗ×Ｈ×Ｄ）がＡmm×Ｂmm×Ｃmmであり、箱体IIは、（Ｗ×Ｈ×Ｄ）が２Ａmm×Ｂmm×Ｃmmであり、箱体IIIは、（Ｗ×Ｈ×Ｄ）がＡmm×Ｂmm×Ｄmmである。
【００１４】
ここで、図１に示すフローに沿って電気機器収納用箱の選定システムの概略を説明する。まず、電気機器収納用箱に搭載する機器を入力する（Ｓ１０１）。本実施形態では、図２に示すような入力画面を利用して、機器を入力することができる。ステップ１０１の次に、入力された機器を表す機器シンボルそれぞれを表示手段に表示する（Ｓ１０２）。表示手段には、機器を表した機器シンボルの他に、機器を収納する箱体を表した箱体レイアウトを表示している。表示形態としては、それぞれの機器を模した形状でもよいし、略号を付したものでもよい。ただし、箱体に対する機器のサイズが即座に判断できるように、箱体を表示した箱体レイアウトの縮小比に合わせたサイズで作成することが好ましい。例えば、図３に示した「e1」のように、１つの箱体では収納できないことを即座に判断できるようにすることが好ましい。
【００１５】
表示手段に表示される箱体レイアウトは、複数の箱体で構成されたレイアウトが常に表示されているものとしてもよい。なお、操作者の入力によって、箱体の数を増減させるようにしてもよい。また、機器入力時に、表示させる箱体レイアウトの数を入力できるようにしてもよい。箱体レイアウトのサイズは、実物の箱体（キャビネット）のサイズを縮小させて表示させることが好ましい。そして、機器シンボルのサイズもその箱体に比例して、縮小させて表示させることが好ましい。そうすることによって、機器シンボルの配置操作の段階で、ユーザーが、機器を箱体に収納可能か否かを容易に判断することができる。
【００１６】
ステップ１０２の次に、機器を表した機器シンボルを、箱体を表した箱体レイアウト上に配置する操作を行う（Ｓ１０３）。箱体レイアウトへ機器シンボルを配置するための操作としては、「機器シンボルをドラッグし、箱体レイアウト上でドロップすることで特定の箱体に配置する方法」や「マウスで機器シンボルをクリック（指定）し、その後、箱体レイアウトにおける特定の箱体を指定する方法」など、視覚的に機器シンボルを箱体レイアウトに配置することのできる方法なら如何なる方法でもよい。
【００１７】
ステップ１０３の次に、機器シンボルの移動対象先となる箱体に関し、既に機器シンボルが配置されている状態であるか否かを判定する（Ｓ１０４）。つまり、機器シンボルを配置する箱体が、空であるか、既に他の機器シンボルが配置されているかを判定する。当該箱体が空である場合には、機器シンボルを配置する（Ｓ１０５）。既に機器シンボルが配置されている状態である場合、既に配置が予定されている機器に加えて移動させたい機器についても同じ箱体に収納可能であるか否かを判定する（Ｓ１０６）。その方法としては、複数の機器の外形サイズを合算したサイズと、箱体のサイズとを比較する方法を採用することができる。このとき、機器の単純な外形サイズを合算してもよいが、法規等で、機器同士の間に設けなければならない空間サイズが定められている場合、その空間サイズを考慮することが好ましい。また、法規以外にも、扉や側壁からの距離や、箱体内の機器を点検することを考慮して、点検するために確保するべき空間を考慮するものとしてもよい。
【００１８】
ステップ１０６で、既に配置が予定されている機器と移動させたい機器とを同じ箱体に収納することはできないと判定された場合、機器シンボルが箱体レイアウトにおける他の箱体に移動し、他の箱体上に配置される（Ｓ１０７）。他の箱体レイアウトとは、当初配置を希望した箱体と隣接する箱体であることが好ましい。また、ステップ１０６で、既に配置が予定されている機器と移動させたい機器とを同じ箱体に収納可能であると判定された場合、１つの箱体に複数の機器が配置される（Ｓ１０９）。
【００１９】
ステップ１０６で、既に配置されている機器と移動させたい機器とを同じ箱体に収納することはできないと判定された場合、そのままステップ１０７に進む構成としても良いが、箱体のサイズを変更できるか否かを判断するステップを導入しても良い。この場合、図４に示すように、ステップ１０６で、既に配置されている機器と移動させたい機器を同じ箱体に収納することはできないと判定された場合、箱体のサイズが最大であるか否かを判断する（Ｓ１０９）。ステップ１０９によって、箱体のサイズを変更することによって、移動させたい機器についても収納できないかを検討できるようになる。
【００２０】
ステップ１０９において、箱体サイズが最大と判定した場合には、既に説明したステップ１０７に進み、機器を他の箱体レイアウトに配置する。箱体サイズを大きくすることができると判定した場合、箱体サイズを変更する（Ｓ１１０）。この際、箱体サイズを１サイズ大きく設定した後、再度ステップ１０６に進み、判定を行う。箱体サイズを大きくすることで、同時収納可能となった場合には、その旨を表示し、ユーザーに箱体サイズを変更するか否かを確認するようにすることができる。なお、一つの箱体に複数の機器を収納可能である場合は、本明細書では、同時収納が可能であるという。
【００２１】
ここで、具体的な例に沿って説明する。先ず、ステップ１０１として、図２に示すような入力画面において、機器の入力を行う。図示した例では、案件No.と、「a1,b1,b2,c1,c2,c3,d1,e1」の８個の機器を入力している。機器の入力が完了後、ステップ１０２に進むために「レイアウトボタン」を押す。「レイアウトボタン」を押すと、図３に示すような画面上に、箱体レイアウトと、入力した機器の機器シンボルが表示される。
【００２２】
図２に示すように、案件No.を入力できるようにすれば、機器の入力を中断した場合でも、選定中のデータと案件No.を紐付けて保存させることができる。選定終了後でも、選定結果のデータと案件No.を紐付けて保存させることができるようにすれば、データを再利用する際に、都合が良い。また、選定終了後に出力される図面に図面番号を付与し、管理できるようにしても良い。
【００２３】
ステップ１０３においては、機器シンボルを箱体レイアウト上の箱体へ配置する操作を行うが、一例を図５に示した事項に沿って説明する。先ず、図５に示すように、機器シンボルa1を左端の箱体レイアウト上へドラッグする。次に、図６に示すように、機器シンボルe1をa１の隣の箱体へドラッグする。機器シンボルe1は１つの箱体では収納できないため、２つの箱体に跨って収納されることが表されている。図７では、機器シンボルb1をa1と同じ箱体へドラッグしていることを表している。この場合、a1とb1とが同じ箱体に収納可能かを判定する必要があるが、収納判定手段により、同時収納が可能であると判定されたため、a1とb1とが同じ箱体に収納された状態を表示する。図８では、機器シンボルb2をe1と同じ箱体上へドラッグしていることを表している。この場合、収納判定手段により、e1とb2とは同時収納ができないと判定されたため、図９に示すように、機器シンボルe1の隣の箱体へ移動する。
【００２４】
図８及び図９に示す流れでは、隣の箱体に機器を移動させることができる場合であったが、そのような移動ができない場合がある。例えば、隣の箱体の機器とも同時収納ができない場合や、隣の箱体に既に複数の機器が収納されている場合に、そのようなことが生じ得る。図１０に示す例では、b2をドラッグした箇所が図８とは異なるケースを表している。この場合、e1とb2とが同時収納不可であると判定され、機器シンボルe1を隣の箱体へ移動しようとするが、隣の箱体の機器とも同時収納不可であると判定されたため、図１１に示すように、さらに隣の箱体へ移動させている。このような流れで、ユーザーの希望に沿った機器配置がなされた電気機器収納用箱が定まるまで配置操作を行う。
【００２５】
本例では、図１２に示すようなレイアウトがなされた電気機器収納用箱が、ユーザーの希望に沿ったものであった。ここで、画面上の完了ボタンを押せば、箱体及び機器が確定し、その結果が表示される。図１３に示すように、表示される結果は、箱体のサイズや箱体の数量、機器の配置位置などであり、この結果を基に、図面や見積りを作成することができる。なお、図１３に示す例においては、箱体Iを三つと箱体IIを一つ組み合わせてなる電気機器収納用箱が選定されている。
【００２６】
以上が具体例の一例であるが、以下に他の例についても説明する。先ず第二の具体例では、図１４に示すように、機器シンボルa1を左から３番目の箱体上へドラッグした。このように、機器シンボルは、箱体レイアウトの端から順に配置していく必要はない。更に図１５に示すように、機器シンボルc1をa1と同じ箱体上へドラッグした。このとき、a1とc1とは同時収納不可なため、図１６に示すように、c1を左隣の箱体へ移動した。このように、機器シンボルを、隣の箱体に移動させる場合、左右いずれに移動させても良い。その後、配置操作を繰り返した結果、図１７に示したような、「左から２番目、３番目、５番目の箱体に機器が収納されたもの」が完成した。完成後、箱体指定ボタンを押し、必要な箱体を枠で囲う操作を行うことで、最終的な箱体を指定する。このとき、空の箱体を含むように指定すると、機器の搭載されていない空の箱体を含んだ結果が得られる状態となる。この後、完了ボタンを押すことで、図１８に示すような結果が得られた。
【００２７】
第三の具体例では、機器シンボルの配置をクリックで行っている。図１９に示すように、機器シンボルa1を指定する。このとき、箱体レイアウト上に機器シンボルa1を配置することができる位置（配置可能位置）が示される。次に図２０に示すように、箱体レイアウト上の配置可能位置を選択すると、a1が配置される。図２１では、更に機器シンボルc1を指定した状態が示されている。このとき、a1とc1とは同時収納不可なため、a1の収納された箱体以外の配置可能位置が示されている。
【００２８】
第四の具体例では、一つの箱体に同時収納ができないとき、箱体サイズを変更している。先ず、図２２に示すように、機器シンボルa1を収納した箱体にc1を追加する。このとき、a1とc1とは同時収納はできないと判定された。そこで、a1とc1とが同時収納可能な箱体が存在する場合には、図２３に示すように、箱体サイズの変更を促す。箱体サイズの変更についての問いに対して承諾すると、図２４に示すように、同時収納可能な箱体となるように、箱体のサイズが変更される。
【００２９】
第五の具体例では、入力された機器に対して推奨するレイアウトを表示できる構成である。機器の入力後、図２５に示されるような入力画面上に設けられたオススメボタンを押すと、図２６に示すように、入力された機器を配置する際のオススメのレイアウトが自動で表示される。このオススメのレイアウトに対して、修正が必要な場合は、修正を行えるようにする。修正の方法は、上記されたいずれの方法を採用してもよい。
【００３０】
本実施形態では、収納判定手段によって、同時に収納判定された際には、追加で配置する機器を他の箱体へ移動させることができるため、箱体への機器の収納に関する知識に係らず、箱体に対する機器の配置を決定することが容易に可能となる。
【００３１】
また、収納判定手段によって、同時に収納できないと判定された際には、箱体のサイズを変更するものとしても、箱体への機器の収納に関する知識に係らず、箱体に対する機器の配置を決定することが容易に可能となる。
【００３２】
以上、いくつかの実施形態を中心に説明してきたが、本発明は上記実施形態に限定されることはなく、各種の態様とすることが可能である。例えば、修正内容の可否判定は、実施形態に示した例に限定されるわけではない。
【図１】
2018142191.tif 000003
【図２】
2018142191.tif 000004
【図３】
2018142191.tif 000005
【図４】
2018142191.tif 000006
【図５】
2018142191.tif 000007
【図６】
2018142191.tif 000008
【図７】
2018142191.tif 000009
【図８】
2018142191.tif 000010
【図９】
2018142191.tif 000011
【図１０】
2018142191.tif 000012
【図１１】
2018142191.tif 000013
【図１２】
2018142191.tif 000014
【図１３】
2018142191.tif 000015
【図１４】
2018142191.tif 000016
【図１５】
2018142191.tif 000017
【図１６】
2018142191.tif 000018
【図１７】
2018142191.tif 000019
【図１８】
2018142191.tif 000020
【図１９】
2018142191.tif 000021
【図２０】
2018142191.tif 000022
【図２１】
2018142191.tif 000023
【図２２】
2018142191.tif 000024
【図２３】
2018142191.tif 000025
【図２４】
2018142191.tif 000026
【図２５】
2018142191.tif 000027
【図２６】
2018142191.tif 000028